(57)【要約】【課題】樋支持具本体を周辺設備の邪魔になることなく配置でき、かつ軒樋を簡易に取り付けできる軒樋吊り具を提供する。【解決手段】樋支持具本体１０は、耳係止部１２、１４間に、軒樋３の内面に沿って前後方向に延びるように配せられる本体部１１を備えており、耳係止部１２、１４のすくなくとも一方は、樋支持具本体１０に連結される別体の耳係止具２０を軒樋３の外面側に配されるように備えている。【選択図】図１
2019027067.tif 000002
【特許請求の範囲】
【請求項１】
前後に耳係止部を有した樋支持具本体を備えた軒樋吊り具において、
前記樋支持具本体は、前記耳係止部間に、軒樋の内面に沿って前後方向に延びるように配せられる本体部を備えており、
前記耳係止部のすくなくとも一方は、前記樋支持具本体に連結付加される別体の耳係止具が前記軒樋の外面側に配されるように備えてなることを特徴とする軒樋吊り具。
【請求項２】
請求項１において、
前記耳係止部のうち前記耳係止具を用いないほうの前記耳係止部は、前記樋支持具本体の外側にばね片が固着された構成とされ、該ばね片と前記軒樋の外面との間に、下方より挿入される前記軒樋の耳を収容、保持させる凹所が形成されていることを特徴とする軒樋吊り具。
【請求項３】
請求項１または２において、
前記耳係止具は、前記軒樋の前耳を係止するために用いられる構成とされており、
前記前耳は前記軒樋の外側に膨出した形状とされており、
前記樋支持具本体は、内側に折り曲げて使用する、受け支持用の前耳固定用折り曲げ片を備えており、
前記係止具は、前記前耳の下側基部を係止する爪片を有し、前記前耳固定用折り曲げ片に、前記爪片が後方を向くように吊り下げられるようになっていることを特徴とする軒樋吊り具。
【発明の詳細な説明】
【技術分野】
【０００１】
本発明は、軒先において軒樋を吊り支持する軒樋吊り具に関する。
【背景技術】
【０００２】
軒樋支持具としては、上記軒樋吊り具と、軒樋を下方より受け支持する軒樋受け具とが知られている。軒樋受け具は帯板状の樋支持具本体が軒樋の裏面側に軒樋の長手方向を横切るように配されるため、美観はよくない。一方、軒樋吊り具は、樋支持具本体が平板状の帯板とされ、軒樋の上側で、後耳から前耳までを直線で結ぶように架け渡して配され、美観面では軒樋受け具よりもすぐれている（たとえば、特許文献１参照）。
【先行技術文献】
【特許文献】
【０００３】
【特許文献１】特開２００９−１０８４７１号公報
【発明の概要】
【発明が解決しようとする課題】
【０００４】
しかしながら、上記のような平板状の樋支持具本体が軒樋を設置するうえで周辺設備に邪魔になる場合がある。たとえば、和風建築における軒先瓦は下端が下方に垂れ軒樋内に入り込むことがあるため、その下端部が後耳、前耳間に配した樋支持具本体に接触するおそれがある。
【０００５】
したがって、このような設置環境の場合には従来では、軒樋を底部より受けて支持する軒樋受け具が用いられていたが、このような場合にも美観にすぐれた軒樋吊り具を使用したいとの要望があった。
【０００６】
本発明は、このような事情を考慮して提案されたもので、その目的は、樋支持具本体を周辺設備の邪魔になることなく配置でき、かつ軒樋を簡易に取り付けできる軒樋吊り具を提供することにある。
【課題を解決するための手段】
【０００７】
上記目的を達成するために、請求項１に記載の軒樋吊り具は、前後に耳係止部を有した樋支持具本体を備えた軒樋吊り具において、樋支持具本体は、耳係止部間に、軒樋の内面に沿って前後方向に延びるように配せられる本体部を備えており、耳係止部のすくなくとも一方は、樋支持具本体に連結付加される別体の耳係止具が軒樋の外面側に配されるように備えていることを特徴とする。
【０００８】
請求項２に記載の軒樋吊り具は、耳係止部のうち前記係止具を用いないほうの耳係止部は、樋支持具本体の外側にばね片が固着された構成とされ、ばね片と軒樋の外面との間に、下方より挿入される軒樋の耳を収容、保持させる凹所が形成されていることを特徴とする。
【０００９】
請求項３に記載の軒樋吊り具は、係止具は、軒樋の前耳を係止するために用いられる構成とされており、前耳は軒樋の外側に膨出した形状とされており、樋支持具本体は、内側に折り曲げて使用する、受け支持用の前耳固定用折り曲げ片を備えており、係止具は、前耳の下側基部を係止する爪片を有し、前耳固定用折り曲げ片に、爪片が後方を向くように吊り下げられるようになっていることを特徴とする。
【発明の効果】
【００１０】
請求項１に記載の軒樋吊り具によれば、上述した構成となっているため、樋支持具本体を周辺設備の邪魔になることなく配置でき、かつ軒樋吊り具に対する軒樋の取り付けを簡易に行うことができる。
【００１１】
請求項２に記載の軒樋吊り具によれば、上述した構成となっているため、軒樋のさらに簡易な取り付けを行うことができる。
【００１２】
請求項３に記載の軒樋吊り具によれば、上述した構成となっているため、軒樋受け具をベースとして本軒樋吊り具に利用することができる。
【図面の簡単な説明】
【００１３】
【図１】本実施形態に係る軒樋吊り具の説明図である。（ａ）は同軒樋吊り具の分解状態を示した側面図、（ｂ）は同軒樋吊り具の合体状態を示した側面図である。
【図２】耳係止具の拡大斜視図である。
【図３】同軒樋吊り具の軒先への取り付け状態を示した側面図である。
【発明を実施するための形態】
【００１４】
以下に、本発明の実施の形態について、添付図面を参照しながら説明する。まず概略構成について説明する。なお以下の説明では、軒樋吊り具１が軒先に取り付けられた状態を基準として軒樋吊り具１の前後、上下等の方向を規定している。
【００１５】
本軒樋吊り具１は前後に耳係止部（前耳係止部１２、後耳係止部１４）を有した樋支持具本体１０を備えている。この樋支持具本体１０は、耳係止部１２、１４間に、軒樋３の内面に沿って前後方向に延びるように配せられる本体部１１を備えている。耳係止部１２、１４のすくなくとも一方は、樋支持具本体１０に連結付加される別体の耳係止具２０が軒樋３の外面側に配されるように備えている。
【００１６】
ついで、図１に示した本軒樋吊り具１について、図２、図３をも参照しながら詳細に説明する。
【００１７】
軒樋吊り具１は、上記樋支持具本体１０と、その後方に配された取付部１８とを備えている。樋支持具本体１０と取付部１８は、本実施形態のように一体となったものでもよいし、相互別体のものであってもよい。なお、図１に示した軒樋吊り具１は、丸樋用の軒樋受け具をベースに改造したものである。
【００１８】
樋支持具本体１０は、湾曲形状の本体部１１と、前後の耳係止部とを備えている。本体部１１は丸樋形状におおむね合致した形状とされ、図１（ｂ）のように軒樋３を取り付けた状態では、軒樋３の内面に接触または近接した状態に配される。
【００１９】
耳係止部のうちの後耳係止部１４は、本体部１１の後面側の上端部にばね片１４ａを固着して構成されている。ばね片１４ａと軒樋３の外面との間には、下方より挿入される軒樋３の後耳３ｂを収容、保持させる凹所１４ｂが形成されている。ばね片１４ａは、軒樋３の後耳３ｂを下方より受け入れやすくするために後方に拡がったガイド片１４ｃを有している。なお、後耳係止部１４側には、受け支持用の後耳固定片１５が固着されているが、受け支持用の部材であるため取り外してもよい（図１（ｂ）参照）。
【００２０】
耳係止部のうちの前耳係止部１２は、上述したように、樋支持具本体１０に連結される別体の耳係止具２０を有して構成されている。この耳係止具２０は図１（ｂ）に示すように、軒樋３の前面側に配されるように取り付けられるようになっている。そして、図１（ｂ）に示すように、樋支持具本体１０と耳係止具２０とで軒樋３を挟持するようにして軒樋３を保持できるようになっている。
【００２１】
耳係止具２０は、前耳３ａを持ち上げるように係止する爪片２３ａを有しており、この爪片２３ａが後方を向き、本体部１１が軒樋３を後方より押さえた状態で、前耳３ａの斜め前方より支持するように取り付けられる。耳係止具２０の詳細形状については、図２の説明において後述する。
【００２２】
この耳係止具２０は樋支持具本体１０に対して後付けできる別体とされており、軒樋３の施工前に樋支持具本体１０の前端に仮止めしておけばよい。仮止めは、耳係止具２０を樋支持具本体１０（本体部１１）の前端に設けた受け支持用の前耳固定用折り曲げ片１３に吊り下げることでなされる。
【００２３】
軒樋３は、耳係止具２０を樋支持具本体１０に仮止めした状態で、樋支持具本体１０に対し下方より持ち上げるようにして、後耳３ｂを後耳係止部１４のばね片１４ａを後方に弾性変形させて凹所１４ｂに装着し、前耳３ａを前耳係止部１２の耳係止具２０、本体部１１間に装着すればよい。この装着操作は前後を同時に行ってもよいし、先に後耳３ｂを取り付けてから、軒樋３の前耳３ａ側を前方に回動させて前耳３ａを耳係止具２０に取り付けるようにしてもよい。さらに、後耳３ｂを後耳係止部１４に装着し、軒樋３を所定の位置に配した状態で、耳係止具２０を後付けするようにしてもよい。
【００２４】
このように耳係止具２０を仮止め状態にして軒樋３を吊り支持した後、受け支持具用の前耳固定用折り曲げ片１３を後方に折り曲げることで、耳係止具２０は前耳３ａが外れないように固定される。
【００２５】
つぎに、図２を参照しながら、耳係止具２０の詳細構造について説明する。
【００２６】
耳係止具２０は金属板または硬質樹脂板で製されている。耳係止具２０は、起立状の基板部２１と、基板部２１の上端より後方に延びた係合片２２と、基板部２１の両側端より後方に延びた耳係止片２３、２３とを備えている。
【００２７】
係合片２２には、受け支持具用の前耳固定用折り曲げ片１３が下方より挿通される係合孔２２ａが開設されている。両耳係止片２３、２３のそれぞれには、前耳３ａの下側基部３ａａを前方斜め下方より押し上げるように支持する爪片２３ａが形成され、その爪片２３ａの上方には耳収容凹所２３ｂが形成されている。また、耳収容凹所２３ｂの上方には前耳３ａの上下のぐらつきを防止するための押さえ片２３ｃが形成されている。
【００２８】
このような形状の耳係止具２０を樋支持具本体１０の前端に連結することで、その耳係止具２０で軒樋３の前耳３ａを収容、保持でき、さらに受け支持用の前耳固定用折り曲げ片１３を後方に折り曲げることで、耳係止具２０の全体が上方に持ち上げられ、爪片２３ａが前耳３ａの下側基部３ａａにしっかりと食い込み、ぐらつきなく本体部１１に対し固定される。
【００２９】
この軒樋吊り具１は、たとえば図３に示すように軒先の垂木７等に固定された状態で、軒樋３を吊り支持することができる。樋支持具本体１０の本体部１１は軒樋３の形状に合うように湾曲形状となっているため、軒樋３の内部にまで垂れ下がる軒先瓦５などの周辺設備の邪魔になるおそれはない。また、軒樋吊り具１は樋支持具本体１０が下方からは軒樋３によって隠されるため、美観面での問題ももちろんない。
【００３０】
さらに、この軒樋吊り具１は別体の耳係止具２０を有した構成であるため、上述したように軒樋３を簡易に取り付けることができる。特に、前耳３ａ、後耳３ｂをともに弾性的に取り付ける構成のものでは、弾性操作するのに力を要し高所の作業では取り付けにくくなるおそれがあるが、本軒樋吊り具１は片方の耳を耳係止具２０で係止する構成であるため、取り付け操作を楽に行える。また、耳係止具２０を用いれば、上述したように軒樋受け具を軒樋吊り具１として用いることができるというメリットもある。
【００３１】
以上に説明した軒樋吊り具１は耳係止具２０が前耳係止部１２として用いてあるが、後耳係止部１４として用いられる構成であってもよい。
【００３２】
また、本実施形態の軒樋吊り具１は丸樋を対象としているが、角樋を対象とするものあってもよい。つまり角樋の内面に沿った樋支持具本体を有し、耳係止部のいずれか一方に耳係止具が採用される軒樋吊り具であってもよい。
【符号の説明】
【００３３】
１          軒樋吊り具
１０        樋支持具本体
１１        本体部
１２        前耳係止部（耳係止部）
１３        受け支持用の前耳固定用折り曲げ片
１４        後耳係止部（耳係止部）
１４ａ      ばね片
１４ｂ      凹所
１４ｃ      ガイド片
１５        受け支持用の後耳固定片
１８        取付部
２０        耳係止具
２１        基板部
２２        係合片
２２ａ      係合孔
２３        耳係止片
２３ａ      爪片
２３ｂ      耳収容凹所
２３ｃ      押さえ片
３          軒樋
３ａ        前耳
３ａａ      下側基部
３ｂ        後耳
５          軒先瓦
７          垂木
【図１】
2019027067.tif 000003
【図２】
2019027067.tif 000004
【図３】
2019027067.tif 000005